(57)【要約】【課題】鉛直方向における小型化を図ることのできる画像形成装置を提供すること。【解決手段】  プリンタ１において、本体ケーシング２は、前壁５２の近傍に配置され、用紙開口６１を介して本体ケーシング２内へ用紙Ｐを搬送するために用紙Ｐを受け入れるように構成される可動トレイ１７１を備えている。可動トレイ１７１は、本体ケーシング２の前壁５２および排紙部５の少なくとも一部を被覆するように折れ曲がる第１位置と、本体ケーシング２の前壁５２から離れるように延び、用紙開口６１を介して本体ケーシング２内へ供給される用紙Ｐを受け入れ可能な第２位置との間を、回転移動するように構成されている。【選択図】図２
2015036764.tif 000002
【特許請求の範囲】
【請求項１】
鉛直方向に延び、外部から供給される記録媒体を受け入れ可能な第１開口を含む一方側壁と、前記一方側壁から略水平方向に延び、現像剤像が形成された記録媒体を受け入れるように構成される排出部とを有する筐体と、
前記記録媒体を収容するように構成され、前記筐体に対して着脱するように構成されるカセットと
を備え、
前記筐体は、前記一方側壁の近傍に配置され、前記第１開口を介して前記筐体内へ記録媒体を搬送するために記録媒体を受け入れるように構成されるトレイを備え、
前記トレイは、
前記筐体の前記一方側壁および前記排出部の少なくとも一部を被覆するように曲がる第１位置と、
前記筐体の前記一方側壁から離れるように延び、前記第１開口を介して前記筐体内へ供給される記録媒体を受け入れ可能な第２位置と
の間を、回転移動するように構成されている
ことを特徴とする、画像形成装置。
【請求項２】
前記トレイは、前記第１開口よりも前記鉛直方向下方を回転中心として、回転移動するように構成されていることを特徴とする、請求項１に記載の画像形成装置。
【請求項３】
前記トレイは、
前記第１位置に位置するときに、前記鉛直方向の略上方に向かって延び、前記一方側壁と向かい合う第１部分と、
前記第１位置に位置するときに、前記第１部分の前記鉛直方向の略上方の端部から、前記排出部に向かって、折り返されるように延びる第２部分と
を備えていることを特徴とする、請求項１または２に記載の画像形成装置。
【請求項４】
前記筐体は、前記トレイの前記第２部分の一部を受け入れるように窪む受入部を備えていることを特徴とする、請求項３に記載の画像形成装置。
【請求項５】
前記トレイの前記第１部分と前記第２部分とは、前記第２位置に位置するときに、前記トレイの回転軸線方向から見たときに、略直線状に延びることを特徴とする、請求項３または４に記載の画像形成装置。
【請求項６】
前記第１部分は、前記トレイの回転軸線方向における記録媒体の移動を規制するように構成される第１規制部を備えていることを特徴とする、請求項３ないし５のいずれか一項に記載の画像形成装置。
【請求項７】
前記排出部は、前記排出部へ排出される記録媒体の落下を規制するように構成される第２規制部を備え、
前記第２部分は、前記トレイが前記第１位置に位置しているときに、前記第２規制部の通過を許容する第２開口を備えている
ことを特徴とする請求項３ないし６のいずれか一項に記載の画像形成装置。
【請求項８】
前記トレイの回転軸線方向から見たときに、前記第１部分の長さは、前記第２部分の長さよりも短いことを特徴とする、請求項３ないし７のいずれか一項に記載の画像形成装置。
【請求項９】
前記トレイは、
前記第１位置に位置するときに、排出された記録媒体を受け入れるように構成される第１面と、
前記第２位置に位置するときに、外部から前記第１開口を介して前記筐体内へ搬送される記録媒体を受け入れるように構成される第２面と
を有していることを特徴とする、請求項１ないし８のいずれか一項に記載の画像形成装置。
【請求項１０】
前記筐体よりも前記鉛直方向の上方に、原稿の画像情報を読み取り可能な画像読取部をさらに備えていることを特徴とする、請求項１ないし９のいずれか一項に記載の画像形成装置。
【発明の詳細な説明】
【技術分野】
【０００１】
本発明は、電子写真方式が採用される画像形成装置に関する。
【背景技術】
【０００２】
画像形成装置として、給紙トレイと手差しトレイとを備えるプリンタが知られている。
【０００３】
このようなプリンタとして、給紙トレイを使用するときに、手差しトレイを収容することで、省スペース化を図ることのできるプリンタが知られている（例えば、特許文献１参照）。
【０００４】
そして、そのようなプリンタでは、手差しトレイを、その下端部を支点として、上方に向けて回動し、プリンタの前壁に沿うようにして収容している。
【先行技術文献】
【特許文献】
【０００５】
【特許文献１】特開２００５−０１７４２５号公報
【発明の概要】
【発明が解決しようとする課題】
【０００６】
しかるに、上記した特許文献１に記載のプリンタでは、手差しトレイが、プリンタの前壁に沿うようにして収容されている、つまり、鉛直方向に延びているので、プリンタの小型化を図ろうとした場合に、手差しトレイが鉛直方向に延びていることにより、鉛直方向に大型化してしまうという不具合がある。
【０００７】
そこで、本発明の目的は、鉛直方向における小型化を図ることのできる画像形成装置を提供することにある。
【課題を解決するための手段】
【０００８】
（１）上記した目的を達成するために、本発明の画像形成装置は、鉛直方向に延び、外部から供給される記録媒体を受け入れ可能な第１開口を含む一方側壁と、一方側壁から略水平方向に延び、現像剤像が形成された記録媒体を受け入れるように構成される排出部とを有する筐体と、記録媒体を収容するように構成され、筐体に対して着脱するように構成されるカセットとを備え、筐体は、一方側壁の近傍に配置され、第１開口を介して筐体内へ記録媒体を搬送するために記録媒体を受け入れるように構成されるトレイを備え、トレイは、筐体の一方側壁および排出部の少なくとも一部を被覆するように曲がる第１位置と、筐体の一方側壁から離れるように延び、第１開口を介して筐体内へ供給される記録媒体を受け入れ可能な第２位置との間を、回転移動するように構成されている。
【０００９】
このような構成によれば、トレイを使用するときには、第２位置に位置させれば、トレイが記録媒体を受け入れて、一方側壁の第１開口を介して記録媒体を筐体内へ供給することができる。
【００１０】
また、トレイは、第１位置において、筐体の一方側壁および排出部の少なくとも一部を被覆するように曲がっている。つまり、トレイを使用しない場合には、トレイを第１位置に位置させて収容することができる。
【００１１】
そのため、トレイが鉛直方向に向かって延びていないので、画像形成装置の鉛直方向の小型化を図ることができる。
（２）また、トレイは、第１開口よりも鉛直方向下方を回転中心として、回転移動するように構成されていてもよい。
【００１２】
このような構成によれば、第２位置に位置するトレイに対して、記録媒体を載置することで、一方側壁の第１開口を介して記録媒体を筐体内へ、確実に供給することができる。
（３）また、トレイは、第１位置に位置するときに、鉛直方向の略上方に向かって延び、一方側壁と向かい合う第１部分と、第１位置に位置するときに、第１部分の鉛直方向の略上方の端部から、排出部に向かって、折り返されるように延びる第２部分とを備えていてもよい。
【００１３】
このような構成によれば、トレイが第１部分と第２部分との２部材に分かれていることにより、トレイを容易に折り返すことができる。
【００１４】
そのため、トレイを第１位置に位置させるときに、第２部分を排出部に向かって折り返すことで、画像形成装置の鉛直方向の小型化を図ることができる。
（４）また、筐体は、トレイの第２部分の一部を受け入れるように窪む受入部を備えていてもよい。
【００１５】
このような構成によれば、受入部が、第２部分を受け入れることによって、第２部分を排出部の一部として構成することができる。
【００１６】
そのため、トレイを第１位置に位置させて、第２部分を排出部に向かって折り返していても、第２部分が排出部への記録媒体の載置を邪魔することなく、筐体から記録媒体を排出することができる。
（５）また、トレイの第１部分と第２部分とは、第２位置に位置するときに、トレイの回転軸線方向から見たときに、略直線状に延びていてもよい。
【００１７】
このような構成によれば、記録媒体を、第２位置に位置するトレイに対して、姿勢が安定するように載置することができる。
【００１８】
そのため、第１開口を介して確実に、記録媒体を筐体内へ供給することができる。
（６）また、第１部分は、トレイの回転軸線方向における記録媒体の移動を規制するように構成される第１規制部を備えていてもよい。
【００１９】
このような構成によれば、第２位置に位置するトレイに対して記録媒体を載置したときに、第１規制部によって、記録媒体がトレイの回転軸線方向に移動し、記録媒体上の画像が回転軸線方向にずれる不具合を抑制することができる。
【００２０】
そのため、第１開口を介して、より確実に、記録媒体を筐体内へ供給することができる。
（７）また、排出部は、排出部へ排出される記録媒体の落下を規制するように構成される第２規制部を備え、第２部分は、トレイが第１位置に位置しているときに、第２規制部の通過を許容する第２開口を備えていてもよい。
【００２１】
このような構成によれば、トレイが第１位置に位置していても、第２開口を通過するように配置される第２規制部によって、排出される記録媒体の落下を規制することができる。
【００２２】
そのため、トレイが第１位置または第２位置のどちらに位置していても、第２規制部によって、排出部に排出される記録媒体の落下を規制することができる。
（８）また、トレイの回転軸線方向から見たときに、第１部分の長さは、第２部分の長さよりも短くてもよい。
【００２３】
このような構成によれば、トレイを第１位置に位置させるときには、トレイの回転軸線方向から見たときに、第１部分よりも長い第２部分を、排出部に向かって折り返すことができる。
【００２４】
そのため、トレイの回転軸線方向から見たときに、トレイにおいて相対的に長い第２部分を鉛直方向とは異なる方向に折り返すので、トレイが第１位置に位置している場合であっても、画像形成装置の鉛直方向の小型化を図ることができる。
（９）また、トレイは、第１位置に位置するときに、排出された記録媒体を受け入れるように構成される第１面と、第２位置に位置するときに、外部から第１開口を介して筐体内へ搬送される記録媒体を受け入れるように構成される第２面とを有していてもよい。
【００２５】
このような構成によれば、トレイが第１位置に位置しているときには、第１面によって、排出された記録媒体を受け入れることができ、トレイが第２位置に位置しているときには、第２面によって、外部から第１開口を介して筐体内へ搬送される記録媒体を受け入れる。
【００２６】
そのため、トレイの両面を利用することができる。
（１０）また、筐体よりも鉛直方向の上方に、原稿の画像情報を読み取り可能な画像読取部をさらに備えていてもよい。
【００２７】
このような構成によれば、筐体よりも鉛直方向の上方に画像読取部を備えていても、トレイは、排出部に沿うように折り曲げることができるので、画像読取部と干渉することなく、第１位置と第２位置との間を移動することができる。
【００２８】
そのため、画像読取部を備えていても、画像形成装置が鉛直方向に大型化することを抑制することができる。
【発明の効果】
【００２９】
本発明の画像形成装置では、鉛直方向における小型化を図ることができる。
【図面の簡単な説明】
【００３０】
【図１】図１は、本発明の画像形成装置の一実施形態としてのプリンタを示す中央断面図であって、プロセスカートリッジが内部位置にある状態を示す。
【図２】図２は、図１に示すプリンタの中央断面図であって、プロセスカートリッジが取出位置にある状態を示す。
【図３】図３は、図１に示すプリンタの中央断面図であって、プロセスカートリッジが外部位置にある状態を示す。
【図４】図４は、図１に示すプリンタの平面図であって、カバー本体と可動トレイとを除いた状態を示す。
【図５】図５は、図４に示すドラムカートリッジを左上方から見た斜視図である。
【図６】図６は、図５に示すドラムカートリッジの中央断面図である。
【図７】図７Ａは、図１に示す現像カートリッジの中央断面図である。図７Ｂは、図７Ａに示す現像カートリッジの左側面図である。
【図８】図８は、図３に示すプリンタの平面図であって、可動トレイが第２位置にある状態を示す。
【発明を実施するための形態】
【００３１】
１．プリンタの全体構成
図１に示すように、プリンタ１は、本体ケーシング２と、給紙部３と、画像形成部４と、排紙部５と、用紙ガイド部６と、フラットベットスキャナ４０とを備えている。
【００３２】
なお、以下の説明において、方向について言及する場合には、プリンタ１を水平に載置した状態を基準として、図１における紙面右方を前方とし、図１における紙面左方を後方とする。また、プリンタ１を前方から見たときを左右の基準とし、図１の紙面手前を左方とし、紙面奥を右方とする。
【００３３】
さらに、後述するプロセスカートリッジ１５に関しても、本体ケーシング２に対する装着状態を基準として前後左右上下を規定する。具体的には、各図において方向を矢印にて示す。
【００３４】
なお、左右方向が第１方向の一例であり、左方が第１方向の一方、右方が第１方向の他方である。また、前後方向が第２方向の一例であり、前方が第２方向の一方、後方が第２方向の他方である。また、上下方向は、鉛直方向と同一方向である。
【００３５】
本体ケーシング２は、左右方向に延びる略ボックス形状であり、その内部空間に、給紙部３、画像形成部４、排紙部５および用紙ガイド部６を収容している。
【００３６】
給紙部３は、用紙Ｐを画像形成部４に供給するように構成されている。給紙部３は、本体ケーシング２内の下方部分に配置されている。給紙部３は、給紙カセット７と、給紙ローラ８とを備えている。
【００３７】
給紙カセット７は、図１および図３に示すように、本体ケーシング２内の下端部に配置されており、本体ケーシング２に対して装着または離脱するように構成されている。給紙カセット７は、図１に示すように、上方に向かって開放される略ボックス形状であり、後述するプロセスカートリッジ１５に供給するための用紙Ｐを、複数枚収容するように構成されている。なお、詳しくは後述するが、給紙カセット７は、用紙リフト１０と、給紙パッド１１と、第１ピンチローラ１２とを支持している。
【００３８】
給紙ローラ８は、左右方向に延びる略円柱形状である。給紙ローラ８は、給紙カセット７の前端部に対して上方に配置され、かつ、プロセスカートリッジ１５よりも前方に配置されている。
【００３９】
画像形成部４は、用紙Ｐに画像を形成するように構成されている。画像形成部４は、本体ケーシング２内において給紙部３の上方に配置されている。画像形成部４は、プロセスカートリッジ１５と、スキャナユニット１６と、定着ユニット１７とを備えている。
【００４０】
プロセスカートリッジ１５は、詳しくは後述するが、本体ケーシング２内に位置する内部位置と、本体ケーシング２から離脱する外部位置との間を移動可能に構成されている。プロセスカートリッジ１５は、内部位置にある状態において、本体ケーシング２内の側面視略中央に配置されており、給紙カセット７の前後方向の略中央部分に対して、上方に配置されている。つまり、給紙カセット７は、プロセスカートリッジ１５よりも下方に配置されている。
【００４１】
プロセスカートリッジ１５は、ドラムカートリッジ１８と、現像カートリッジ１９とを備えている。
【００４２】
ドラムカートリッジ１８は、感光ドラム２０と、転写ローラ２１と、スコロトロン型帯電器２２とを備えている。感光ドラム２０は、ドラムカートリッジ１８の後端部に配置されている。転写ローラ２１は、感光ドラム２０の下方に配置されている。転写ローラ２１の上端部は、感光ドラム２０の下端部と接触している。スコロトロン型帯電器２２は、感光ドラム２０の後上方において、感光ドラム２０に対して僅かな間隔を空けて配置されている。
【００４３】
現像カートリッジ１９は、図７Ａに示すように、現像ローラ２６と、供給ローラ２７と、層厚規制ブレード２８とを備え、かつ、トナーを収容している。
【００４４】
現像ローラ２６は、左右方向に延びる略円柱形状であり、現像カートリッジ１９の後端部に配置されている。また、現像ローラ２６の上方部分および後方部分は、図１に示すように、現像カートリッジ１９から露出しており、現像ローラ２６の後上端部は感光ドラム２０の前下端部に接触している。
【００４５】
供給ローラ２７は、図７Ａに示すように、左右方向に延びる略円柱形状であり、現像ローラ２６に対して前下方に配置されている。また、供給ローラ２７の後上端部は、現像ローラ２６の前下端部に圧接している。
【００４６】
層厚規制ブレード２８は、現像ローラ２６の前上方に配置されている。また、層厚規制ブレード２８は、側面視において上下方向に延びる板状である。また、層厚規制ブレード２８の下端部は、現像ローラ２６の前端部に接触している。
【００４７】
スキャナユニット１６は、図１に示すように、プロセスカートリッジ１５に対して前方に配置され、かつ、給紙ローラ８に対して上方に間隔を空けて配置されている。つまり、給紙ローラ８は、プロセスカートリッジ１５よりも前方に配置されている。より詳しくは、スキャナユニット１６は、前後方向に投影したときに、プロセスカートリッジ１５および定着ユニット１７と重なるように配置され、上下方向に投影したときに、給紙ローラ８と重なるように配置されている。また、スキャナユニット１６は、後方に向かうにつれて下方に傾斜するように、前上方と後下方とを結ぶ方向に沿って配置されている。また、スキャナユニット１６は、図１に実線で示すように、感光ドラム２０に向けて画像データに基づくレーザービームＬを出射するように構成されている。
【００４８】
定着ユニット１７は、プロセスカートリッジ１５に対して後上方に間隔を空けて配置されている。つまり、定着ユニット１７は、プロセスカートリッジ１５よりも後方に配置されている。定着ユニット１７は、加熱ローラ３０と、加圧ローラ３１とを備えている。
【００４９】
加熱ローラ３０は、プロセスカートリッジ１５のスコロトロン型帯電器２２に対して、後上方に間隔を空けて配置されている。加圧ローラ３１は、加熱ローラ３０に対して後下方に配置されている。そして、加圧ローラ３１の前上端部は、加熱ローラ３０の後下端部と圧接している。
【００５０】
排紙部５は、定着ユニット１７に対して上方に配置されている。排紙部５は、１対のガイドローラ３３と、１対の排紙ローラ３４とを備えている。
【００５１】
１対のガイドローラ３３は、定着ユニット１７に対して後上方に間隔を空けて配置されている。１対のガイドローラ３３のそれぞれは、左右方向に延びる略円柱形状であり、前上方と後下方とを結ぶ方向において、互いに接触している。
【００５２】
１対の排紙ローラ３４は、定着ユニット１７に対して前上方に間隔を空けて配置され、かつ、感光ドラム２０よりも後方に配置されている。つまり、１対の排紙ローラ３４は、定着ユニット１７よりも上方かつ給紙ローラ８よりも後方に配置されている。１対の排紙ローラ３４のそれぞれは、左右方向に延びる略円柱形状であり、前上方と後下方とを結ぶ方向において、互いに接触している。
【００５３】
用紙ガイド部６は、詳しくは後述するが、給紙カセット７から給紙ローラ８により搬送された後、感光ドラム２０と転写ローラ２１との接触点Ｎを経て、排紙ローラ３４まで到達するように、用紙Ｐの搬送をガイドするように構成されている。このような用紙ガイド部６は、側面視略Ｓ字状の搬送パスＴを画定している。
【００５４】
フラットベットスキャナ４０は、本体ケーシング２に対して上方に隣接されており、後述する排紙トレイ３５に対して、上方に間隔を空けて配置されている。また、フラットベットスキャナ４０は、軸部４４と、押えカバー４１と、ガラス面４２と、ＣＣＤセンサ４３とを備えている。
【００５５】
軸部４４は、フラットベットスキャナ４０の後下端部に備えられている。軸部４４は、左右方向に延びる略円柱状であり、本体ケーシング２の後上端部に回転可能に支持されている。これによって、フラットベットスキャナ４０は、軸部４４を支点として、本体ケーシング２に対して揺動するように構成されている。
【００５６】
また、フラットベットスキャナ４０は、押えカバー４１とガラス面４２との間に原稿が配置された状態において後、ＣＣＤセンサ４３により、原稿の画像情報を読み取るように構成されている。
２．本体ケーシングの詳細
本体ケーシング２は、図３に示すように、１対の側壁５０と、後壁５１と、前壁５２と、底壁５３と、上壁５４とを一体として有している。
【００５７】
１対の側壁５０は、本体ケーシング２の左右両端部のそれぞれに配置されており、左右方向に互いに間隔を空けて配置されている。１対の側壁５０のそれぞれは、側面視略Ｌ字の板状である。詳しくは、側壁５０の後方部分６３は、上下方向に延びる側面視略矩形状である。また、側壁５０の前方部分６４は、前後方向に延びる側面視略矩形状であり、後方部分６３の前端縁の下方部分から、前方に向かって延びている。
【００５８】
また、１対の側壁５０のそれぞれは、溝部４６を備えている。
【００５９】
溝部４６は、左右方向に投影したときに一致するように、各側壁５０の前方部分６４の左右方向内面に配置されている。なお、本実施形態では、溝部４６に関する構成は、１対の側壁５０のそれぞれにおいて同様である。そこで、以下の溝部４６の説明において、右方の側壁５０に配置される溝部４６について詳細に説明し、左方の側壁５０に配置される溝部４６についての説明を省略する。
【００６０】
溝部４６は、側壁５０の前方部分６４の左右方向内面から左右方向の外方に向かって凹んでおり、上方に向かって開放されている。溝部４６は、第１溝部４７と、第２溝部５６とを有している。
【００６１】
第１溝部４７は、溝部４６の上方部分であって、側壁５０の前方部分６４の左右方向内面における上方部分に配置されている。また、第１溝部４７の前端部は、スキャナユニット１６の後方部分に対して左右方向に間隔を空けて配置されている。
【００６２】
第１溝部４７は、前後方向に延びる側面視略矩形状であり、側壁５０の前方部分６４の上端縁から下方に向かって凹んでいる。
【００６３】
第２溝部５６は、溝部４６の下方部分であって、第１溝部４７の後下端部から連続して、後下方に向かって延びている。これによって、第２溝部５６は、スキャナユニット１６よりも後方に配置されている。
【００６４】
第２溝部５６は、幅広部５７と、幅狭部５８とを一体として有している。
【００６５】
幅広部５７は、第１溝部４７の下端縁における後方部分から、下方に向かうにつれて後方に傾斜するように延びている。また、幅広部５７は、後下方に向かうにつれて幅狭となる。
【００６６】
幅狭部５８は、幅広部５７の下端部から連続して後下方に向かって延びている。また、幅狭部５８は、左右方向から見たときに、後述する回動軸７８を中心とする略円弧形状である。幅狭部５８の溝幅は、後述するドラム軸１３１の左右方向の端部の外径と略同じである。
【００６７】
後壁５１は、本体ケーシング２の後端部に配置されている。後壁５１は、左右方向に延びる背面視略矩形の板状である。後壁５１の左右両端部のそれぞれは、各側壁５０の後方部分６３の後端部に連続している。
【００６８】
前壁５２は、本体ケーシング２の前端部に配置されている。前壁５２は、左右方向に延びる側面視略クランク状の板状である。前壁５２の左右両端部のそれぞれは、各側壁５０の前方部分６４の前端部に連続している。前壁５２は、下部１５２と、段差部１５３と、上部１５４とを一体として有している。
【００６９】
下部１５２は、前壁５２の下方部分である。下部１５２は、側面視において上下方向に延びる略板状であり、カセット開口６０を有している。
また、前壁５２は、カセット開口６０と、用紙開口６１とを有している。
【００７０】
カセット開口６０は、下部１５２の下端部に配置されている。カセット開口６０は、給紙カセット７の通過を許容する形状およびサイズを有しており、下部１５２の下端部を前後方向に貫通している。そして、カセット開口６０は、給紙カセット７が本体ケーシング２に対して装着または離脱されるときに、給紙カセット７の通過を許容する。
【００７１】
段差部１５３は、側面視において前後方向に延びる略板状であり、下部１５２の上端部から屈曲して後方に向かって延びている。
【００７２】
上部１５４は、前壁５２の上方部分であって、下部１５２よりも後方に位置している。上部１５４は、側面視において上下方向に延びる略板状であり、段差部１５３の後端部か屈曲して上方に向かって延びている。上部１５４は、用紙開口６１を有している。
【００７３】
用紙開口６１は、上部１５４の下端部に配置されている。用紙開口６１は、用紙Ｐの通過を許容する形状およびサイズを有しており、前壁５２の上下方向略中央部分を前後方向に貫通している。そして、用紙開口６１は、詳しくは後述するが、本体ケーシング２の外部から供給される用紙Ｐを受け入れる。
【００７４】
底壁５３は、本体ケーシング２の下端部に配置されている。底壁５３は、底面視略矩形の板状である。底壁５３の左右両端部のそれぞれは、各側壁５０の下端部に連続しており、底壁５３の後端部は、後壁５１の下端部に連続している。
【００７５】
上壁５４は、本体ケーシング２の上端部に配置されている。上壁５４は、フラットベット支持壁６５と、トレイ壁６６と、排紙壁１５５とを備えている。
【００７６】
フラットベット支持壁６５は、排紙部５の上方に配置されている。フラットベット支持壁６５は、後壁５１の上端部から連続して前方に向かって延び、かつ、左右方向に延びている。また、フラットベット支持壁６５の左右両端部は、各側壁５０の後方部分６３の上端部に接続されている。また、フラットベット支持壁６５は、フラットベットスキャナ４０の後方部分に対して下方から接触しており、フラットベットスキャナ４０を支持している。また、フラットベット支持壁６５と後壁５１との連続部分は、フラットベットスキャナ４０の軸部４４を回転可能に支持している。
【００７７】
トレイ壁６６は、フラットベット支持壁６５の前端部から屈曲して、下方に向かって延び、かつ、左右方向に延びている。トレイ壁６６の左右両端部は、各側壁５０の後方部分６３の前端部における上方部分に接続されている。また、トレイ壁６６は、排紙口６８を有している。
【００７８】
排紙口６８は、トレイ壁６６の上端部に配置され、１対の排紙ローラ３４の前方に配置されている。排紙口６８は、用紙Ｐの通過を許容する形状およびサイズを有しており、トレイ壁６６の上端部を前後方向に貫通している。
【００７９】
排紙壁１５５は、トレイ壁６６に対して前方に間隔を空けて配置され、かつ、スキャナユニット１６に対して前上方に配置されている。また、排紙壁１５５は、上下方向に投影したときに、スキャナユニット１６の前端部と、後述する搬送ローラ１９２、後述する給紙ローラ１９３、および、後述するパッド１９４と重なるように配置されている。
【００８０】
排紙壁１５５は、前壁５２の上端部から連続して後上方に向かって延び、かつ、左右方向に延びている。排紙壁１５５の左右両端部は、各側壁５０の前方部分６４の上端部に接続されている。排紙壁１５５は、排紙壁本体１５７と、屈折部１５８とを一体として有している。
【００８１】
排紙壁本体１５７は、前壁５２の上端部から連続して、後方に向かうにつれて上方に傾斜するように延びている。排紙壁本体１５７は、規制収容溝１５６と、用紙規制部１５９とを有している。
【００８２】
規制収容溝１５６は、排紙壁本体１５７の前後左右方向略中央部分に配置されている。
【００８３】
用紙規制部１５９は、平面視略矩形の板状である。用紙規制部１５９は、規制収容溝１５６に収容され、排紙壁本体１５７に沿う傾倒位置と、仮想線で示すように、その前端部を支点として左側面視時計回りに回動し、排紙壁本体１５７から前上方に向かって延びるように起立する起立位置との間を移動するように構成されている。なお、用紙規制部１５９は、後述する可動トレイ１７１が第１位置にある状態では、基部開口１８４および延部開口１８５を介して、傾倒位置と起立位置との間を移動する。
【００８４】
屈折部１５８は、排紙壁１５５の後端部に配置されている。屈折部１５８は、側面視略クランク状であり、排紙壁本体１５７の後端部から下方に向かって突出した後、後方に向かって屈曲し、続いて、下方に向かって屈曲している。
【００８５】
これによって、排紙壁本体１５７の後端部と、屈折部１５８の屈曲部分とは、係止部１６０を画定している。
【００８６】
係止部１６０は、排紙壁１５５の左右方向にわたって、後上方から前下方に向かって、側面視略矩形状に窪んでいる。
【００８７】
また、本体ケーシング２は、スキャナユニット収容部１６３を備えている。
【００８８】
スキャナユニット収容部１６３は、後方に向かって開放される略ボックス形状であり、その内部空間にスキャナユニット１６を収容している。スキャナユニット収容部１６３は、収容部前壁１６４と、収容部上壁１６５と、収容部下壁１６６とを備えている。
【００８９】
収容部前壁１６４は、スキャナユニット収容部１６３の前端部に配置されている。収容部前壁１６４は、左右方向に延びる正面視略矩形の板状である。収容部前壁１６４の左右両端部は、各側壁５０の前方部分６４の左右方向内面に接続されている。
【００９０】
収容部上壁１６５は、スキャナユニット収容部１６３の上端部に配置されている。収容部上壁１６５は、前上方と後下方とを結ぶ方向に延びる略板状である。収容部上壁１６５は、傾斜壁１６７と、ガイド壁１６８と、規制壁１６９とを備えている。
【００９１】
傾斜壁１６７は、収容部前壁１６４の上端部から連続して、後方に向かうにつれて上方に傾斜するように延びた後、屈曲して、後方に向かうにつれて下方に傾斜するように延びている。
【００９２】
ガイド壁１６８は、傾斜壁１６７よりも下向きの傾斜が大きくなるように、傾斜壁１６７の後端部から屈曲して、後方に向かうにつれて下方に傾斜するように延びている。
【００９３】
規制壁１６９は、ガイド壁１６８よりも下向きの傾斜が大きくなるように、ガイド壁１６８の後端部から屈曲して、後方に向かうにつれて下方に傾斜した後、さらに屈曲して下方に向かって突出している。
【００９４】
また、収容部上壁１６５は、その左右方向の端部に１つずつ、切欠部７３を有している。
【００９５】
切欠部７３は、後述するカバーガイド８０に対応して、収容部上壁１６５の左右方向の端部に１つずつ配置されている。切欠部７３は、規制壁１６９の左右方向の端部から傾斜壁１６７の前後方向略中央まで、平面視略矩形状に切り欠かれている。これによって、切欠部７３と、本体ケーシング２の第１溝部４７の前端部とは、上下方向に連通している。
【００９６】
収容部下壁１６６は、スキャナユニット収容部１６３の下端部に配置されている。収容部下壁１６６は、左右方向に延びる底面視略矩形の板状である。収容部下壁１６６の前端部は、収容部前壁１６４の下端部に接続され、収容部下壁１６６の左右両端部は、各側壁５０の前方部分６４の左右方向内面に接続されている。
【００９７】
また、図１に示すように、規制壁１６９、トレイ壁６６の下端部、および、規制壁１６９とトレイ壁６６との間に位置する各側壁５０の前方部分６４の上端部は、プロセス開口７５を画定している。つまり、本体ケーシング２は、プロセス開口７５を有している。
【００９８】
プロセス開口７５は、平面視略矩形状であり、上下方向において、本体ケーシング２の内部空間と、本体ケーシング２の外部とを連通している。また、プロセス開口７５は、プロセスカートリッジ１５の通過を許容するサイズを有している。
【００９９】
また、本体ケーシング２は、プロセス開口７５を開閉するためのトップカバー７７を備えている。
【０１００】
トップカバー７７は、回動軸７８と、カバー本体７９と、カバーガイド８０とを有している。
【０１０１】
回動軸７８は、左右方向に延びる略円柱形状であり、トレイ壁６６の下端部、すなわちプロセス開口７５の後端縁に回転可能に支持されている。
【０１０２】
カバー本体７９は、板状であり、回動軸７８から、回動軸７８の径方向の外方に向かって延びている。カバー本体７９は、受入部１６２を備えている。
【０１０３】
受入部１６２は、カバー本体７９の上面における前端部に配置されている。受入部１６２は、カバー本体７９の上面から後下方に向かって、側面視略矩形状に窪んでおり、前下方に向かって開放されている。
【０１０４】
カバーガイド８０は、カバー本体７９の下面の前方部分において、左右両端部のそれぞれに配置されている。なお、左方のカバーガイド８０と、右方のカバーガイド８０とを区別する場合、左方のカバーガイド８０を、左カバーガイド８０Ｌとし、右方のカバーガイド８０を、右カバーガイド８０Ｒとする。
【０１０５】
カバーガイド８０は、側面視略Ｌ字の板状である。また、カバーガイド８０の左右方向の寸法は、図４に示すように、切欠部７３の左右方向の寸法よりも短い。また、カバーガイド８０は、図１に示すように、規制部８１と、ガイド本体８６とを一体として有している。
【０１０６】
規制部８１は、カバー本体７９の左右方向端部における前後方向略中央部分から連続して、前下方に向かって延びている。
【０１０７】
ガイド本体８６は、規制部８１の下端部から連続して、前方に向かって延びている。これによって、ガイド本体８６は、カバー本体７９と略平行となり、かつ、回動軸７８から離れるように延びている。詳しくは、ガイド本体８６は、係合部８２と、第１カバーガイド８３と、第２カバーガイド８４と、さそい部８５とを一体として有している。
【０１０８】
係合部８２は、規制部８１の下端部から連続して前下方に向かって延びた後、屈曲して前上方に延びている。
【０１０９】
第１カバーガイド８３は、係合部８２の前端部から、係合部８２の前方部分よりも前方への傾斜が大きくなるように屈曲し、前方に向かうにつれて僅かに上方に傾斜するように延びている。
【０１１０】
第２カバーガイド８４は、第１カバーガイド８３の前端部から屈曲して、前方に向かうにつれて僅かに下方に傾斜するように延びている。
【０１１１】
さそい部８５は、第２カバーガイド８４の前端部から屈曲して、第２カバーガイド８４の傾斜よりも、前方に向かうにつれて下方に傾斜するように延びている。
【０１１２】
そして、トップカバー７７は、プロセス開口７５を閉鎖する閉鎖位置と、図２に示すように、プロセス開口７５を開放する開放位置との間を、回動軸７８を支点として揺動可能に構成されている。
【０１１３】
図１に示すように、トップカバー７７が閉鎖位置にある状態において、カバー本体７９は、回動軸７８から前方に向かって延びるように配置され、カバー本体７９の前端部は、係止部１６０に嵌まっている。また、トップカバー７７が閉鎖位置にある状態において、トレイ壁６６の前面と、カバー本体７９の上面と、排紙壁１５５の上面とが、排紙トレイ３５を構成する。
【０１１４】
また、左右両方のカバーガイド８０のそれぞれは、トップカバー７７が閉鎖位置にある状態において、図４に示すように、ガイド本体８６の前方部分が、切欠部７３を介して、溝部４６の第１溝部４７に配置される。これによって、左カバーガイド８０Ｌは、スキャナユニット１６に対して左方に間隔を空けて配置され、右カバーガイド８０Ｒは、スキャナユニット１６に対して右方に間隔を空けて配置される。そして、ガイド本体８６のさそい部８５は、図１に示すように、左右方向に投影したときに、スキャナユニット１６と重なっている。
【０１１５】
一方、図２に示すように、トップカバー７７が開放位置にある状態において、カバー本体７９は、前上方と後下方とを結ぶ方向に沿うように配置され、カバー本体７９の前端部は、規制壁１６９に対して上方に、プロセスカートリッジ１５が通過可能な間隔を空けて配置される。
【０１１６】
また、カバーガイド８０の第１カバーガイド８３は、収容部上壁１６５のガイド壁１６８と略平行となるように配置され、第２カバーガイド８４は、収容部上壁１６５の傾斜壁１６７と略平行となるように配置される。
３．用紙ガイド部の詳細
用紙ガイド部６は、図１に示すように、本体ケーシング２内に配置されている。用紙ガイド部６は、第１用紙ガイド８８と、第２用紙ガイド８９と、第３用紙ガイド９０と、第４用紙ガイド９１と、第５用紙ガイド９２とを備えている。
【０１１７】
第１用紙ガイド８８は、用紙ガイド部６のうち、スキャナユニット１６の下方に配置される部分であって、給紙カセット７から給紙ローラ８に向かった後、後上方にＵターンする用紙Ｐの搬送をガイドするように構成されている。また、第１用紙ガイド８８は、上流部分９４と、途中部９５と、下流部分９６とを備えている。
【０１１８】
上流部分９４は、第１用紙ガイド８８における用紙Ｐの搬送方向の上流部分であって、給紙カセット７に収容される用紙Ｐの給紙ローラ８に向かう搬送をガイドするように構成されている。上流部分９４は、ピックアップローラ９と、用紙リフト１０と、給紙パッド１１とを備えている。
【０１１９】
ピックアップローラ９は、左右方向に延びる略円柱形状であり、給紙ローラ８の後方に間隔を空けて配置されている。
【０１２０】
用紙リフト１０は、平面視略矩形の平板形状であり、給紙カセット７内の前方部分に配置されている。また、給紙カセット７に収容される用紙Ｐの前方部分は、用紙リフト１０の上面に載置されている。
【０１２１】
そして、用紙リフト１０は、その後端部を支点として揺動可能に構成されており、図示しないばね部材により、常には、左側面視反時計回り方向に向かって付勢されている。つまり、用紙リフト１０の前端部は、図示しないばね部材により、ピックアップローラ９に向かって付勢されている。そのため、用紙リフト１０の上面に載置される用紙Ｐの前端部は、用紙リフト１０の前端部とピックアップローラ９との間に挟まれる。
【０１２２】
給紙パッド１１は、ピックアップローラ９の前下方、かつ、給紙ローラ８の前下方に配置されている。給紙パッド１１は、板状であって、側面視において前上方と後下方とを結ぶ方向に延びている。そして、給紙パッド１１の上面は、給紙ローラ８の前下端部に接触している。
【０１２３】
途中部９５は、第１用紙ガイド８８において、上流部分９４と下流部分９６との間に配置される部分であって、給紙ローラ８によってＵターンする用紙Ｐの搬送をガイドするように構成されている。途中部９５は、第１ピンチローラ１２と、第２ピンチローラ１３と、湾曲ガイド９７と、直線ガイド９８とを備えている。
【０１２４】
第１ピンチローラ１２は、給紙パッド１１に対して前上方、かつ、給紙ローラ８の前方に配置されている。第１ピンチローラ１２は、左右方向に延びる略円柱形状であり、第１ピンチローラ１２の後端部は、給紙ローラ８の前端部に接触している。
【０１２５】
第２ピンチローラ１３は、第１ピンチローラ１２の前上方、かつ、給紙ローラ８の前方に間隔を空けて配置されている。また、第２ピンチローラ１３は、左右方向に延びる略円柱形状である。
【０１２６】
湾曲ガイド９７は、第２ピンチローラ１３の後上方に配置され、給紙ローラ８の上端部に対して上方に間隔を空けて配置されている。湾曲ガイド９７は、前後方向に延びる板状であり、側面視において前上方に湾曲している。
【０１２７】
直線ガイド９８は、湾曲ガイド９７の後下方に間隔を空けて配置され、給紙ローラ８の上端部に対して後方に隣接配置されている。直線ガイド９８は、前後方向に延びる板状である。
【０１２８】
下流部分９６は、第１用紙ガイド８８における用紙Ｐの搬送方向の下流部分であって、給紙ローラ８から第２用紙ガイド８９に向かう用紙Ｐの搬送をガイドするように構成されている。下流部分９６は、１対の第１搬送ローラ１００と、１対の第２搬送ローラ１０１と、傾斜ガイド９９とを備えている。
【０１２９】
１対の第１搬送ローラ１００は、直線ガイド９８の後端部に対して後方に隣接配置され、かつ、スキャナユニット１６よりも前方に配置されている。また、１対の第１搬送ローラ１００は、給紙ローラ８よりも後方に配置されている。１対の第１搬送ローラ１００のそれぞれは、左右方向に延びる略円柱形状であり、上下方向において、互いに接触している。
【０１３０】
１対の第２搬送ローラ１０１は、１対の第１搬送ローラ１００に対して、後下方に間隔を空けて配置されており、スキャナユニット１６よりも後方に位置している。１対の第２搬送ローラ１０１のそれぞれは、左右方向に延びる略円柱形状であり、上下方向において互いに接触している。
【０１３１】
傾斜ガイド９９は、１対の第１搬送ローラ１００と、１対の第２搬送ローラ１０１との間に配置されている。傾斜ガイド９９は、スキャナユニット収容部１６３の収容部下壁１６６に対して、略平行となるように、下方に間隔を空けて配置されている。より詳しくは、傾斜ガイド９９は、下流部分９６における用紙Ｐの搬送方向において下流に向かうにつれて、下方に傾斜している。傾斜ガイド９９は、側面視において、前上方と後下方とを結ぶ方向に延びる板状であり、用紙Ｐの通過を許容するように、収容部下壁１６６に対して、前下方と後上方とを結ぶ方向に間隔を空けて配置されている。すなわち、収容部下壁１６６は、１対の第１搬送ローラ１００と、１対の第２搬送ローラ１０１と、傾斜ガイド９９とともに、第１用紙ガイド８８の下流部分９６を構成している。
【０１３２】
このように、第１用紙ガイド８８のうち、上流部分９４および途中部９５は、スキャナユニット１６よりも前方に配置されている。一方、第１用紙ガイド８８の下流部分９６は、上下方向に投影したときに、スキャナユニット１６と重なるように、スキャナユニット１６の下方に配置されている。
【０１３３】
第２用紙ガイド８９は、用紙ガイド部６のうち、プロセスカートリッジ１５の下方に配置される部分であって、ガイド部分１０７と、受入部分１０５とを一体として有している。
【０１３４】
ガイド部分１０７は、現像カートリッジ１９の下方に配置されており、第１用紙ガイド８８から、後述する給紙パス１３５を介して、感光ドラム２０と転写ローラ２１との接触点Ｎに向かう用紙Ｐの搬送をガイドするように構成されている。
【０１３５】
ガイド部分１０７は、第１用紙ガイド８８の搬送方向の下流端部から連続するように、１対の第２搬送ローラ１０１の後方に隣接配置されている。第２用紙ガイド８９は、側面視において前後方向に沿って延びている。また、第２用紙ガイド８９は、ガイド突起１０３を有している。
【０１３６】
ガイド突起１０３は、ガイド部分１０７の上面における後端部、すなわち、ガイド部分１０７の用紙Ｐの搬送方向の下流端部に配置されている。また、ガイド突起１０３は、後述する給紙パス１３５に対応しており、後述する給紙パス１３５の前下方に配置されている。ガイド突起１０３は、側面視略矩形状であり、ガイド部分１０７の上面から上方に向かって突出している。
【０１３７】
受入部分１０５は、後述する転写収容壁１１３の下方に配置されており、ガイド部分１０７の後方に隣接配置されている。また、受入部分１０５は、ガイド部分１０７の後端部から連続して、後方に向かって延びている。また、受入部分１０５は、窪部１０４を有している。
【０１３８】
窪部１０４は、受入部分１０５の上面から後下方に向かって凹んでいる。窪部１０４は、側面視略湾曲形状であって、プロセスカートリッジ１５の後端部、詳しくは、後述するローラ収容部１２２の後端部に沿っている。
【０１３９】
第３用紙ガイド９０は、用紙ガイド部６のうち、プロセスカートリッジ１５と定着ユニット１７との間に配置される部分であって、感光ドラム２０と転写ローラ２１との接触点Ｎを通過した後、定着ユニット１７に向かう用紙Ｐの搬送をガイドするように構成されている。第３用紙ガイド９０は、受入部分１０５の後端部から連続して、定着ユニット１７に向かうように、後上方に延びている。
【０１４０】
第４用紙ガイド９１は、用紙ガイド部６のうち、１対のガイドローラ３３と１対の排紙ローラ３４との間に配置される部分であって、１対のガイドローラ３３の間を通過した後、１対の排紙ローラ３４に向かってＵターンする用紙Ｐの搬送をガイドするように構成されている。第４用紙ガイド９１は、フラットベット支持壁６５の下方に配置されており、フラットベット支持壁６５の下面における前方部分から下方に向かって突出している。また、第４用紙ガイド９１は、凹部１０６を有している。
【０１４１】
凹部１０６は、前下方に向かって開放される側面視略Ｕ字状であり、第４用紙ガイド９１の下端部から後上方に向かって凹んでいる。また、凹部１０６の後端部は、１対のガイドローラ３３の上方に配置され、凹部１０６の前端部は、１対の排紙ローラ３４の後方に配置されている。
【０１４２】
第５用紙ガイド９２は、本体ケーシング２内の前端部において、第１用紙ガイド８８の途中部９５の上方、かつ、スキャナユニット１６に対して前方に配置されている。第５用紙ガイド９２は、用紙開口６１を介して、本体ケーシング２の外部から供給され、１対の第１搬送ローラ１００に向かう用紙Ｐの搬送をガイドするように構成されている。第５用紙ガイド９２は、搬送ローラ１９２と、給紙ローラ１９３と、下板１０９と、パッド１９４とを備えている。
【０１４３】
搬送ローラ１９２は、左右方向に延びる略円柱形状であり、用紙開口６１に対して後方に配置されている。
【０１４４】
給紙ローラ１９３は、左右方向に延びる略円柱形状であり、搬送ローラ１９２に対して、後方に配置されている。
【０１４５】
下板１０９は、側面視において、前壁５２の用紙開口６１の下端縁から、後下方に向かって延びている。また、下板１０９は、搬送ローラ１９２および給紙ローラ１９３に対して下方に間隔を空けて配置されている。
【０１４６】
また、下板１０９の後端部は、湾曲ガイド９７の後端部と連続している。これによって、第５用紙ガイド９２と、第１用紙ガイド８８の途中部９５とは、１対の第１搬送ローラ１００の前方において連続している。
【０１４７】
パッド１９４は、給紙ローラ１９３の下方に配置され、下板１０９の上面における後端部に支持されている。パッド１９４は、板状であって、側面視において、前上方と後下方とを結ぶ方向に延びている。そして、パッド１９４の上面は、給紙ローラ１９３の下端部に接触している。
４．プロセスカートリッジの詳細
プロセスカートリッジ１５は、上記したように、ドラムカートリッジ１８と、現像カートリッジ１９とを備えている。
（１）ドラムカートリッジ
ドラムカートリッジ１８は、図５に示すように、ドラムフレーム２３を備えている。ドラムフレーム２３は、左右方向に延びる平面視略矩形の枠形状であり、１対のドラム側壁１１０と、ドラム前壁１１１と、帯電保持壁１１２と、転写収容壁１１３とを一体として有している。
【０１４８】
１対のドラム側壁１１０は、ドラムフレーム２３の左右両端部のそれぞれに配置されており、左右方向に互いに間隔を空けて配置されている。１対のドラム側壁１１０のそれぞれは、前後方向に延びる側面視略矩形の板状である。また、１対のドラム側壁１１０のそれぞれは、第１コロ受入溝１１８と、第２コロ受入溝１１９と、突出部１３４とを有している。
【０１４９】
第１コロ受入溝１１８および第２コロ受入溝１１９は、各ドラム側壁１１０の左右方向の内方面に配置されている。
【０１５０】
第１コロ受入溝１１８は、図６に示すように、後述する第１コロ１４７に対応しており、ドラム側壁１１０の左右方向の内方面において後方部分に配置されている。第１コロ受入溝１１８は、ドラム側壁１１０の左右方向の内方面から左右方向の外方に向かって凹んでおり、ドラム側壁１１０の上端縁から、下方に向かうにつれて後方に傾斜するように延びている。
【０１５１】
第２コロ受入溝１１９は、後述する第２コロ１５０に対応しており、ドラム側壁１１０の左右方向の内方面において、第１コロ受入溝１１８の前方に間隔を空けて配置されている。第２コロ受入溝１１９は、ドラム側壁１１０の左右方向の内方面から左右方向の外方に向かって凹んでおり、ドラム側壁１１０の上端縁から、下方に向かうにつれて後方に傾斜するように延びている。
【０１５２】
突出部１３４は、図５に示すように、２つのカバーガイド８０に対応して、１対のドラム側壁１１０のそれぞれの左右方向の外方面に１つずつ配置されている。突出部１３４は、側面視略三角形状であり、各ドラム側壁１１０の左右方向の外方面の前上端部から、左右方向の外方に突出している。
【０１５３】
また、突出部１３４の前端縁および下端縁は、側面視において、カバーガイド８０の係合部８２と略同じ形状を有している。詳しくは、突出部１３４の上端縁は略前後方向に沿って延び、突出部１３４の前端縁は、突出部１３４の上端縁の前端部から後下方に向かって延び、突出部１３４の下端縁は、突出部１３４の前端縁の下端部から後上方に向かって延び、突出部１３４の上端縁に後端部に連続している。
【０１５４】
ドラム前壁１１１は、図６に示すように、ドラムフレーム２３の前端部に配置されている。ドラム前壁１１１は、側面視略Ｚ字の板状であり、左右方向に延びている。ドラム前壁１１１の左右両端部のそれぞれは、各ドラム側壁１１０の前端部に連続している。
【０１５５】
ドラム前壁１１１は、前壁本体１１４と、取手部１３３と、当接部１１７とを一体として有している。
【０１５６】
前壁本体１１４は、前上方と後下方とを結ぶ方向に延びる板状であり、左右方向に延びている。前壁本体１１４の左右両端部のそれぞれは、各ドラム側壁１１０の前端縁よりもやや後方の部分に連続している。これによって、各ドラム側壁１１０の前端部は、前壁本体１１４よりも前方に位置している。また、前壁本体１１４は、レーザ通過口１２４を有している。
【０１５７】
レーザ通過口１２４は、レーザービームＬの光路に対応して、前壁本体１１４の上方部分に配置されている。レーザ通過口１２４は、レーザービームＬの通過を許容する形状およびサイズを有しており、前壁本体１１４を前後方向に貫通している。
【０１５８】
取手部１３３は、ドラム前壁１１１の上端部から後下方に向かって延びる板状であり、図５に示すように、左右方向に延びている。また、取手部１３３の上面と、各突出部１３４の上面とは略面一である。
【０１５９】
当接部１１７は、図６に示すように、ドラム前壁１１１の下端部から前上方に向かって延びる板状である。
【０１６０】
帯電保持壁１１２は、ドラムフレーム２３の後上端部に配置されている。帯電保持壁１１２は、前下方に向かって開放される側面視略Ｕ字状であり、左右方向に延びている。そして、帯電保持壁１１２の左右両端部のそれぞれは、各ドラム側壁１１０の後上端部に連続している。
【０１６１】
転写収容壁１１３は、ドラムフレーム２３の後下端部に配置されており、帯電保持壁１１２に対して下方に間隔を空けて配置されている。転写収容壁１１３は、左右方向に延びており、各ドラム側壁１１０の後下端部に連続している。転写収容壁１１３は、ローラ収容部１２２と、リップ部１２１とを一体として有している。
【０１６２】
ローラ収容部１２２は、転写収容壁１１３の後方部分であって、上方に向かって開放される側面視略Ｕ字状である。リップ部１２１は、転写収容壁１１３の前方部分であって、ローラ収容部１２２の前壁の上端部から、前方に向かうにつれて下方に傾斜するように延びている。
【０１６３】
また、ローラ収容部１２２の後壁の上端部と、帯電保持壁１１２の後壁の下端部との間の開口領域が、感光ドラム２０と転写ローラ２１との接触点Ｎを通過した用紙Ｐを排紙するための排紙開口１３６として画定されている。
【０１６４】
また、ドラムカートリッジ１８は、感光ドラム２０と、転写ローラ２１と、スコロトロン型帯電器２２と、ハンドル１１５とを備えている。
【０１６５】
感光ドラム２０は、１対のドラム側壁１１０の後端部間に配置されており、帯電保持壁１１２の前下方かつ転写収容壁１１３の上方に配置されている。感光ドラム２０は、ドラム本体１３２と、ドラム軸１３１とを備えている。
【０１６６】
ドラム本体１３２は、左右方向に延びる略円筒状の金属からなる円筒部と、円筒部の周面を被覆する感光層とを有している。
【０１６７】
ドラム軸１３１は、左右方向に延びる略円柱形状である。ドラム軸１３１の左右方向寸法は、ドラム本体１３２の左右方向の寸法よりも長く、さらに、ドラムフレーム２３の左右方向の寸法よりも長い。また、ドラム軸１３１は、その中心軸線がドラム本体１３２の中心軸線と一致するように、ドラム本体１３２内に配置されている。
【０１６８】
そして、感光ドラム２０は、ドラム軸１３１の左右両端部が各ドラム側壁１１０に支持されることによって、ドラムフレーム２３に回転可能に支持されている。ドラム軸１３１の左右両端部のそれぞれは、図５に示すように、ドラム側壁１１０から左右方向外方に突出している。
【０１６９】
転写ローラ２１は、図６に示すように、転写収容壁１１３のローラ収容部１２２内に配置されている。転写ローラ２１は、左右方向に延びる略円柱形状である。転写ローラ２１は、その左右両端部が各ドラム側壁１１０に支持されることによって、ドラムフレーム２３に回転可能に支持されている。また、転写ローラ２１の前上端部は、感光ドラム２０のドラム本体１３２の後下端部と接触している。
【０１７０】
スコロトロン型帯電器２２は、帯電保持壁１１２内において、帯電保持壁１１２に支持されている。これによって、スコロトロン型帯電器２２は、感光ドラム２０の後上方において、感光ドラム２０に対して僅かな間隔を空けて配置されている。
【０１７１】
ハンドル１１５は、ドラムカートリッジ１８の前端部に配置されており、ドラム前壁１１１に対して前方に配置されている。また、ハンドル１１５は、詳しくは後述するが、図１、図４〜図６に示すように、ドラム前壁１１１に沿って起立する収容位置と、図２および図３に示すように、後述する把持部１２９がドラム前壁１１１から前方に離れるように傾倒する飛出位置との間を揺動するように構成されている。なお、以下の説明において、ハンドル１１５が、図１、図４〜図６に示す収容位置にある状態を基準として説明する。
【０１７２】
ハンドル１１５は、図５に示すように、ハンドル本体１２５と、揺動軸１２６とを有している。
【０１７３】
ハンドル本体１２５は、下方に向かって開放される正面視略Ｕ字状であり、１対の筒部１２７と、１対の連結部１２８と、把持部１２９とを一体として有している。
【０１７４】
１対の筒部１２７は、左右方向に間隔を空けて配置されている。１対の筒部１２７のそれぞれは、左右方向に延びる略円筒形状である。筒部１２７の内径は、揺動軸１２６の外径よりも僅かに大きい。１対の連結部１２８のそれぞれは、図６に示すように、各筒部１２７に対応しており、対応する筒部１２７から連続して、前上方に向かって延びる略棒形状である。把持部１２９は、１対の連結部１２８の上端部間に配置されている。把持部１２９は、左右方向に延びる略棒形状であって、その左右両端部は、各連結部１２８の上端部に接続されている。
【０１７５】
揺動軸１２６は、左右方向に延びる略円柱状状である。また、揺動軸１２６は、１対の筒部１２７のそれぞれに相対回転可能に挿通されている。
【０１７６】
そして、ハンドル１１５は、揺動軸１２６の左右両端部が１対のドラム側壁１１０の前下端部に支持されることによって、ドラムフレーム２３に支持されている。
（２）現像カートリッジ
現像カートリッジ１９は、図５および図７Ｂに示すように、ドラムフレーム２３に対して装着または離脱するように構成されている。
【０１７７】
現像カートリッジ１９は、図７Ａに示すように、現像フレーム２５と、現像ローラ２６と、供給ローラ２７と、層厚規制ブレード２８と、アジテータ１４２とを備えている。
【０１７８】
現像フレーム２５は、１対の現像側壁１３７と、トナー収容部１３９と、ブレード支持部１３８と、現像底壁１４０とを一体として有している。
【０１７９】
１対の現像側壁１３７は、現像フレーム２５の左右両端部に配置されており、左右方向に互いに間隔を空けて配置されている。１対の現像側壁１３７のそれぞれは、図７Ｂに示すように、前後方向に延びる側面視略矩形の板状である。
【０１８０】
トナー収容部１３９は、図７Ａに示すように、１対の現像側壁１３７の前方部分間に配置されている。トナー収容部１３９は、左右方向に延びる略角筒状であり、その左右両端部は、各現像側壁１３７の前方部分により閉鎖されている。トナー収容部１３９は、その内部にトナーを収容している。また、トナー収容部１３９は、連通口１４１を有している。
【０１８１】
連通口１４１は、トナー収容部１３９の前壁の下端部に配置されており、トナー収容部１３９の前壁を前後方向に貫通している。
【０１８２】
ブレード支持部１３８は、トナー収容部１３９の前壁の前面における上端部に配置されている。ブレード支持部１３８は、トナー収容部１３９の前壁の前面から、前方に向かって突出する側面視略矩形状である。
【０１８３】
現像底壁１４０は、トナー収容部１３９の前壁の下端部から後方に向かって延びている。現像底壁１４０の左右両端部は、各現像側壁１３７の後方部分の下端部に連続している。現像底壁１４０は、前方部分１４３と、後方部分１４４とを一体として有している。
【０１８４】
前方部分１４３は、上方に向かって開放される側面視略半円形状であり、前方部分１４３の内周面は、供給ローラ２７の外周面に沿って湾曲している。そして、前方部分１４３の前端部は、トナー収容部１３９の前壁における連通口１４１の下方端縁に接続されている。後方部分１４４は、前方部分１４３の後端部から、現像ローラ２６の外周面に沿って湾曲するように、後上方に向かって延びている。
【０１８５】
現像ローラ２６は、現像底壁１４０の後方部分１４４の前上方に間隔を空けて配置されている。現像ローラ２６は、図７Ａおよび図７Ｂに示すように、ローラ本体１４５と、現像ローラ軸１４６と、第１コロ１４７を備えている。
【０１８６】
ローラ本体１４５は、１対の現像側壁１３７の後端部間に配置されており、左右方向に延びる略円筒形状である。ローラ本体１４５の左右方向の寸法は、１対の現像側壁１３７の左右方向の間隔よりも僅かに短い。
【０１８７】
現像ローラ軸１４６は、左右方向に延びる略円柱形状である。現像ローラ軸１４６の左右方向の寸法は、現像フレーム２５の左右方向の寸法よりも長い。そして、現像ローラ軸１４６は、その左右両端部のそれぞれがローラ本体１４５よりも左右方向の外方に突出するように、ローラ本体１４５に嵌入されている。また、現像ローラ軸１４６の左右両端部は、対応する現像側壁１３７に回転可能に支持されている。これによって、現像ローラ２６は、現像フレーム２５に回転可能に支持されている。また、現像ローラ軸１４６の左右両端部のそれぞれは、対応する現像側壁１３７から、左右方向の外方に向かって突出している。
【０１８８】
第１コロ１４７は、現像ローラ軸１４６の左右両端部のそれぞれに対応して、２つ備えられている。各第１コロ１４７は、現像側壁１３７に対して左右方向の外方に配置されている。第１コロ１４７は、左右方向に延びる円筒形状であり、第１コロ１４７の内径は、現像ローラ軸１４６の外径と略同じである。そして、第１コロ１４７は、現像ローラ軸１４６の左右方向端部であって、現像側壁１３７よりも左右方向の外方に位置する部分に、嵌め合わされている。
【０１８９】
供給ローラ２７は、現像底壁１４０の前方部分１４３内に配置されており、トナー収容部１３９の連通口１４１の後方に配置されている。また、供給ローラ２７の後上端部は、ローラ本体１４５の前下端部に接触している。そして、供給ローラ２７は、その左右両端部が各現像側壁１３７に支持されることによって、現像フレーム２５に回転可能に支持されている。
【０１９０】
層厚規制ブレード２８は、ブレード支持部１３８の後面に固定されている。そして、層厚規制ブレード２８の下端部は、ローラ本体１４５の前端部に接触している。
【０１９１】
アジテータ１４２は、トナー収容部１３９内の後下端部に配置されている。アジテータ１４２は、アジテータ軸１４８と、撹拌羽根１４９とを備えている。
【０１９２】
アジテータ軸１４８は、左右方向に延びる略円柱形状である。アジテータ軸１４８の左右方向の寸法は、現像フレーム２５の左右方向の寸法よりも長い。また、アジテータ軸１４８の左右両端部は、対応する現像側壁１３７に回転可能に支持されている。これによって、アジテータ１４２は、現像フレーム２５に回転可能に支持されている。また、アジテータ軸１４８の左右両端部のそれぞれは、対応する現像側壁１３７から、左右方向の外方に向かって突出している。
【０１９３】
撹拌羽根１４９は、可撓性を有するフィルム材料からなる。撹拌羽根１４９は、アジテータ軸１４８のうち、トナー収容部１３９内に位置する部分から、アジテータ軸１４８の径方向の外方に延びている。
【０１９４】
第２コロ１５０は、アジテータ軸１４８の左右両端部のそれぞれに対応して、２つ備えられている。各第２コロ１５０は、現像側壁１３７に対して左右方向の外方に配置されている。第２コロ１５０は、左右方向に延びる円筒形状であり、第２コロ１５０の内径は、現像ローラ軸１４６の外径と略同じである。そして、第２コロ１５０は、アジテータ軸１４８の左右方向端部であって、現像側壁１３７よりも左右方向の外方に位置する部分に、嵌め合わされている。
【０１９５】
このような現像カートリッジ１９は、例えば、作業者により、図５に示されるドラムフレーム２３に対して上方から装着される。具体的には、現像カートリッジ１９は、各第１コロ１４７が対応する第１コロ受入溝１１８に上方から挿入され、かつ、各第２コロ１５０が対応する第２コロ受入溝１１９に上方から挿入されるように、ドラムフレーム２３に装着される。
【０１９６】
これにより、現像カートリッジ１９がドラムフレーム２３に装着されて、プロセスカートリッジ１５が構成される。
【０１９７】
現像カートリッジ１９がドラムフレーム２３に装着された状態において、図１に示すように、現像ローラ２６が感光ドラム２０の前下方に配置され、ローラ本体１４５の後上端部がドラム本体１３２の前下端部に接触している。また、現像底壁１４０の後方部分１４４は、転写収容壁１１３のリップ部１２１に対して、前上方に間隔を空けて配置されている。これによって、現像底壁１４０の後方部分１４４と、転写収容壁１１３のリップ部１２１とが、感光ドラム２０と転写ローラ２１との接触点Ｎに用紙Ｐを供給するための給紙パス１３５を画定している。
５．可動トレイの詳細
本体ケーシング２は、さらに、図２および図８に示すように、可動トレイ１７１を備えている。なお、詳しくは詳述するが、可動トレイ１７１は、図１に示すように、本体ケーシング２の外形に沿うように折れ曲がる第１位置と、図３に示すように、本体ケーシング２から前方に向かって延びる第２位置との間を移動するように構成されている。
【０１９８】
なお、以下の可動トレイ１７１の説明は、可動トレイ１７１が第２位置ある状態を基準として説明する。
【０１９９】
可動トレイ１７１は、図２に示すように、第１可動軸１７４と、第１部分１７５と、第２可動軸１７６と、第２部分１７７とを備えている。
【０２００】
第１可動軸１７４は、左右方向に延びる略円柱形状であり、前壁５２の段差部１５３の上面、すなわち用紙開口６１の下端縁の前方に配置され、両側壁５０の前方部分６４の前端部に回転可能に支持されている。
【０２０１】
第１部分１７５は、板状であり、第１可動軸１７４から、第１可動軸１７４の径方向の外方に向かって延びている。第１部分１７５は、図８に示すように、１対の規制部溝１７８と、１対の供給規制部１７９とを有している。
【０２０２】
１対の規制部溝１７８は、第１部分１７５の上面において、左右方向に沿って延びる溝であり、互いに左右方向に間隔を空けて配置されている。
【０２０３】
１対の供給規制部１７９は、図３に示すように、第１部分１７５の上面に配置されている。１対の供給規制部１７９のそれぞれは、前後方向に延びる側面視略矩形の板状である。また、１対の供給規制部１７９のそれぞれは、対応する規制部溝１７８に沿って左右方向にスライド可能である。なお、１対の供給規制部１７９は、図示しないリンク機構により連動するように構成されており、一方の供給規制部１７９が左右方向内方へスライド移動すると、他方の供給規制部１７９も左右方向内方へスライド移動する。また、一方の供給規制部１７９が左右方向外方へスライド移動すると、他方の供給規制部１７９も左右方向外方へスライド移動する。
【０２０４】
第２可動軸１７６は、左右方向に延びる略円柱形状であり、第１部分１７５における第１可動軸１７４と反対側の端部、すなわち前端部に回転可能に支持されている。
【０２０５】
第２部分１７７は、基部１８２と、延部１８３とを備えている。
【０２０６】
基部１８２は、平面視略矩形の板状であり、第２可動軸１７６から、第２可動軸１７６の径方向の外方に向かって延びている。基部１８２は、基部開口１８４を備えている。基部開口１８４は、基部１８２の左右方向略中央において、基部１８２の前後方向略中央から後方部分にかけて配置されている。基部開口１８４は、平面視略矩形状であり、基部１８２を上下方向に貫通している。基部開口１８４の左右方向の寸法は、用紙規制部１５９の左右方向の寸法よりもわずかに長い。
【０２０７】
延部１８３は、基部１８２と同一方向に沿って延びる板状である。延部１８３は、図２に破線で示すように、基部１８２の上面と重なる退避位置と、図２に実線で示すように、基部１８２からさらに前方に延びる進出位置との間を、基部１８２に対して、スライド移動するように構成されている。延部１８３は、延部開口１８５を備えている。
【０２０８】
延部開口１８５は、延部１８３が退避位置にある状態で、基部１８２の基部開口１８４と重なるように配置されている。具体的には、延部開口１８５は、後方に向かって開放される平面視略Ｕ字状であり、延部１８３の後端縁における前後方向略中央分から前方に向かって切り欠かれている。延部開口１８５の左右方向の寸法は、基部開口１８４の左右方向の寸法と同一である。
【０２０９】
また、第２部分１７７は、その延部１８３が退避位置または進出位置のどちらに位置している状態であっても、左右方向から見たときの寸法が、第１部分１７５の左右方向から見たときの寸法よりも長い。
【０２１０】
そして、可動トレイ１７１は、図１に示すように、第２部分１７７が、排紙壁１５５と、排紙トレイ３５の前端部を被覆するように、本体ケーシング２の外形に沿って折れ曲がる第１位置と、図２に示すように、本体ケーシング２から離れるように、側面視において直線状に前上方と後下方とを結ぶ方向に延びる第２位置との間を、第１可動軸１７４を支点として回動可能に構成されている。
【０２１１】
なお、可動トレイ１７１において、左側面視時計回り方向の下流面を表面１８８とし、左側面視時計回り方向の上流面を裏面１８９とする。
【０２１２】
図１に示すように、可動トレイ１７１が第１位置にある状態において、第１部分１７５は、第１可動軸１７４から上方に向かって延びるように配置される。また、第２部分１７７は、その延部１８３が退避位置に位置され、第１部分１７５の上端部、すなわち第２可動軸１７６から、後上方に向かって延びるように配置される。これにより、第２部分１７７は、前壁５２の上部１５４および排紙壁１５５の排紙壁本体１５７を被覆するとともに、その後上端部が、カバー本体７９の受入部１６２に受け入れられる。これにより、可動トレイ１７１の表面１８８が、カバー本体７９の上面と面一となる。つまり、可動トレイ１７１が第１位置にある状態において、トレイ壁６６の前面と、カバー本体７９の上面と、可動トレイ１７１の第２部分１７７における表面１８８とが、排紙トレイ３５を構成する。このように、表面１８８は、可動トレイ１７１が第１位置に位置するときに、排出された用紙Ｐを受け入れる。
【０２１３】
また、図３に示すように、可動トレイ１７１が第２位置にある状態において、第１部分１７５は、第１可動軸１７４から、前上方に向かって延びるように配置される。また、第２部分１７７は、その延部１８３が進出位置に位置され、第１部分１７５の前上端部、すなわち第２可動軸１７６から、第１部分１７５よりも上向きの傾斜が大きくなるように、前上方に向かって延びるように配置される。すなわち、可動トレイ１７１は、第２位置にある状態で、側面視において、後下方と前上方とを結ぶ方向に、略直線状に延びている。これにより、第２位置に位置する可動トレイ１７１は、その裏面１８９に用紙Ｐを載置することによって、用紙開口６１を介して、本体ケーシング２内に用紙Ｐの供給をガイドする。このように、裏面１８９は、可動トレイ１７１が第２位置に位置するときに、外部から用紙開口６１を介して本体ケーシング２内へ搬送される用紙Ｐを受け入れる。また、可動トレイ１７１が第２位置にある状態において、トレイ壁６６の前面と、カバー本体７９の上面と、排紙壁１５５の排紙壁本体１５７の上面とが、排紙トレイ３５を構成する。
６．プロセスカートリッジの本体ケーシングに対する離脱動作および装着動作
次に、プロセスカートリッジ１５の本体ケーシング２に対する離脱動作および装着動作を説明する。
（１）プロセスカートリッジの本体ケーシングからの離脱動作
まず、プロセスカートリッジ１５の本体ケーシング２からの離脱動作、すなわち、プロセスカートリッジ１５の内部位置から外部位置への移動について説明する。
【０２１４】
図１に示すように、プロセスカートリッジ１５が内部位置にある状態において、ドラムカートリッジ１８のローラ収容部１２２の後端部は、受入部分１０５の窪部１０４内に配置され、ドラム軸１３１の左右方向の端部は、対応する第２溝部５６の幅狭部５８の下端部に挿入されている。また、プロセスカートリッジ１５が内部位置にある状態において、ドラムカートリッジ１８の突出部１３４は、対応するカバーガイド８０の係合部８２に嵌まっており、ハンドル１１５の把持部１２９の前面は、スキャナユニット収容部１６３の規制壁１６９の後面に接触している。これによって、ハンドル１１５は、本体ケーシング２内において、連結部１２８が揺動軸１２６から前上方に向かって延び、把持部１２９が揺動軸１２６よりも上方に配置される収容位置に位置している。
【０２１５】
プロセスカートリッジ１５を内部位置から外部位置に移動させるには、図２に示すように、作業者が、フラットベットスキャナ４０を左側面視反時計回りに揺動させるとともに、可動トレイ１７１を第１位置から第２位置に移動させる。このとき、第２部分１７７の延部１８３は、退避位置に位置されているので、可動トレイ１７１が、第１可動軸１７４を支点として回動するときの回動半径が小さくなる。そのため、フラットベットスキャナ４０の左側面視反時計回りへの揺動の変位量を小さくすることができる。そして、フラットベットスキャナ４０を揺動させ、可動トレイ１７１を第２位置に位置させた後、トップカバー７７を閉鎖位置から開放位置に移動させる。なお、トップカバー７７の閉鎖位置と開放位置との間の移動は、公知の連動機構により、フラットベットスキャナ４０の揺動に連動させることもできる。
【０２１６】
このとき、突出部１３４が対応する係合部８２に嵌まっているので、突出部１３４は、トップカバー７７の閉鎖位置から開放位置への移動に伴って、後上方に向かって移動する。そうすると、プロセスカートリッジ１５は、ドラム軸１３１の左右方向の端部が幅狭部５８にガイドされ、前上方に向かって移動するとともに、ドラム軸１３１を中心として左側面視反時計回りに回転する。
【０２１７】
これによって、プロセスカートリッジ１５は、内部位置よりも上方に位置し、プロセスカートリッジ１５の前上端部が、プロセス開口７５を介して、本体ケーシング２外に位置する取出位置に位置する。つまり、第２溝部５６の幅狭部５８は、プロセスカートリッジ１５の取出位置から内部位置への移動をガイドする。
【０２１８】
このとき、ハンドル１１５は、把持部１２９と規制壁１６９との接触が解除され、重力により、揺動軸１２６を支点として、ドラム前壁１１１から前方に離れるように傾倒し、収容位置から飛出位置に揺動する。ハンドル１１５が飛出位置にある状態において、把持部１２９は、ハンドル１１５が収容位置にあるときよりも、後下方から前上方に向かう方向である離脱方向Ｙの下流（前上方から後下方に向かう方向である装着方向Ｘの上流）に位置し、本体ケーシング２外において、規制壁１６９とガイド壁１６８との接続部分の上方に位置する。なお、離脱方向Ｙおよび装着方向Ｘは、左右方向と交差する方向である。
【０２１９】
つまり、プロセスカートリッジ１５は、トップカバー７７の閉鎖位置から開放位置への移動に連動して、内部位置から取出位置に連れ出され、ハンドル１１５は、プロセスカートリッジ１５の内部位置から取出位置への移動に連動して、収容位置から飛出位置へ移動する。
【０２２０】
また、トップカバー７７が開放位置にある状態において、カバーガイド８０のガイド本体８６は、規制部８１の下端部から離脱方向Ｙの下流（装着方向Ｘの上流）に向かって延びている。
【０２２１】
言い換えると、ハンドル１１５およびカバーガイド８０のガイド本体８６は、回動軸７８よりも、装着方向Ｘの上流に配置されている。
【０２２２】
次いで、作業者は、図２および図３に示すように、飛出位置にあるハンドル１１５の把持部１２９を把持して、プロセスカートリッジ１５を前上方に引き出す。
【０２２３】
そうすると、突出部１３４は、前上方に移動して、ガイド本体８６の係合部８２から離脱し、第１カバーガイド８３上に移動する。また、ドラム軸１３１の左右方向端部は、前上方に移動し、幅狭部５８から幅広部５７に移動する。そして、第１カバーガイド８３が突出部１３４の移動をガイドし、幅広部５７の下端縁がドラム軸１３１の左右方向の端部の移動をガイドする。これによって、プロセスカートリッジ１５は、その前上端部と後端部とのそれぞれがガイドされて、離脱方向Ｙに沿って前上方に向かって移動する。
【０２２４】
すると、プロセスカートリッジ１５の前端部、具体的には、ドラム前壁１１１の当接部１１７が、収容部上壁１６５の規制壁１６９に当接する。
【０２２５】
次いで、作業者が、ハンドル１１５の把持部１２９をさらに前上方に引き出すと、突出部１３４は、前上方に移動し、第１カバーガイド８３上から第２カバーガイド８４上に移動する。また、当接部１１７は、前上方に移動し、ガイド壁１６８上に到達し、ガイド壁１６８と摺擦する。このとき、第２カバーガイド８４が突出部１３４の移動をガイドするとともに、ガイド壁１６８が当接部１１７の移動をガイドする。
【０２２６】
これによって、プロセスカートリッジ１５は、離脱方向Ｙに沿ってさらに前上方に向かってガイドされる。
【０２２７】
次いで、作業者が、図３に示すように、ハンドル１１５の把持部１２９をさらに前方に引き出すと、突出部１３４は、前方に移動し、第２カバーガイド８４上からさそい部８５上に移動した後、カバーガイド８０から離脱する。
【０２２８】
このとき、ドラムフレーム２３の転写収容壁１１３は、ガイド壁１６８および規制壁１６９の上方に順次到達し、ガイド壁１６８および規制壁１６９のそれぞれと摺擦する。つまり、ガイド壁１６８および規制壁１６９のそれぞれは、転写収容壁１１３の移動をガイドする。これによって、プロセスカートリッジ１５は、その後端部がガイドされて、離脱方向Ｙに沿って前方に向かって移動し、本体ケーシング２から離脱される。
【０２２９】
これによって、プロセスカートリッジ１５は、内部位置から取出位置に移動した後、取出位置から離脱方向Ｙの下流（装着方向Ｘの上流）に移動され、外部位置に到達する。
【０２３０】
つまり、カバーガイド８０と、収容部上壁１６５とは、プロセスカートリッジ１５の取出位置から外部位置までの移動をガイドする。
【０２３１】
次いで、作業者が、トップカバー７７を開放位置から閉鎖位置に移動させ、可動トレイ１７１を第２位置から第１位置に移動させた後、フラットベットスキャナ４０を、フラットベット支持壁６５と接触するまで、左側面視時計回りに揺動させる。
【０２３２】
以上によって、プロセスカートリッジ１５の本体ケーシング２からの離脱動作が完了する。
（２）プロセスカートリッジの本体ケーシング対する装着動作
プロセスカートリッジ１５を本体ケーシング２に装着するには、上記した離脱動作と逆の手順に操作する。
【０２３３】
より具体的には、図２および図３に示すように、作業者が、フラットベットスキャナ４０を左側面視反時計回りに揺動させる。次いで、可動トレイ１７１を第１位置から第２位置に移動させた後、トップカバー７７を閉鎖位置から開放位置に移動させる。
【０２３４】
次いで、作業者は、ドラムカートリッジ１８の取手部１３３を把持して、プロセスカートリッジ１５を、プロセス開口７５を介して、本体ケーシング２内に後下方に向かって挿入する。このとき、各突出部１３４が、対応するカバーガイド８０のさそい部８５上に位置するともに、ドラム軸１３１の左右方向の端部が、第２溝部５６の幅広部５７に受け入れられる。
【０２３５】
次いで、作業者は、ハンドル１１５の把持部１２９を把持して、プロセスカートリッジ１５を後下方に向かって押し込む。そうすると、各突出部１３４は、さそい部８５上から、第２カバーガイド８４を経て、第１カバーガイド８３上に到達し、ドラム軸１３１の左右方向の端部は、第２溝部５６の幅広部５７の下端縁に沿って、幅広部５７と第２溝部５６との連続部分に到達する。これによって、ドラムカートリッジ１８は、排紙壁１５５の規制壁１６９およびガイド壁１６８の上方を通過するように、装着方向Ｘに沿って後下方に移動する。
【０２３６】
そして、プロセスカートリッジ１５が、図２に示すように、さらに後下方に移動すると、各突出部１３４が対応する係合部８２に到達して嵌まり込むとともに、各突出部１３４の後端部が規制部８１に接触する。また、ドラム軸１３１の左右方向の端部が幅広部５７と幅狭部５８との連続部分に到達する。
【０２３７】
これによって、ドラムカートリッジ１８の外部位置から取出位置への移動が完了する。
【０２３８】
つまり、カバーガイド８０は、プロセスカートリッジ１５の外部位置から取出位置までの移動をガイドする。
【０２３９】
次いで、作業者は、トップカバー７７を開放位置から閉鎖位置に移動させるとともに、フラットベットスキャナ４０を左側面視時計回りに揺動させる。
【０２４０】
このとき、突出部１３４は、トップカバー７７の移動に伴って後下方に移動する。そうすると、プロセスカートリッジ１５は、ドラム軸１３１の左右方向の端部が幅狭部５８にガイドされ、後下方に向かって移動するとともに、ドラム軸１３１を中心として左側面視時計回りに回転する。これによって、プロセスカートリッジ１５は、図１に示すように、取出位置から内部位置に移動する。つまり、第２溝部５６の幅狭部５８は、プロセスカートリッジ１５の取出位置から内部位置への移動をガイドする。
【０２４１】
また、プロセスカートリッジ１５が取出位置から内部位置に移動するとき、ハンドル１１５の把持部１２９は、図２に示すように、排紙壁１５５のガイド壁１６８の上面と摺擦する。これによって、ハンドル１１５は、飛出位置から、把持部１２９がドラム前壁１１１に近づくように、揺動軸１２６を支点として左側面視反時計回りに回動する。
【０２４２】
そして、プロセスカートリッジ１５が内部位置に到達したときに、ハンドル１１５は、把持部１２９が排紙壁１５５の規制壁１６９の後方に隣接配置されるようにして、収容位置に位置する。
【０２４３】
つまり、プロセスカートリッジ１５は、トップカバー７７の開放位置から閉鎖位置への移動に連動して、取出位置から内部位置に移動され、ハンドル１１５は、プロセスカートリッジ１５の取出位置から内部位置への移動に連動して、飛出位置から収容位置へ移動する。
【０２４４】
以上によって、プロセスカートリッジ１５の本体ケーシング２に対する装着動作が完了する。
【０２４５】
プロセスカートリッジ１５は、内部位置にある状態において、スキャナユニット１６の後方に配置されており、第２用紙ガイド８９に対して上方に僅かに間隔を空けて配置されている。そして、トナー収容部１３９、供給ローラ２７、現像ローラ２６および感光ドラム２０は、第２用紙ガイド８９に沿って、前方から後方に向かって順次配置されている。
【０２４６】
つまり、プロセスカートリッジ１５が内部位置にある状態において、スキャナユニット１６、トナー収容部１３９、供給ローラ２７、現像ローラ２６および感光ドラム２０は、前後方向に沿って、前方から後方に向かって順次並ぶように配置されている。
【０２４７】
また、プロセスカートリッジ１５が内部位置にある状態において、感光ドラム２０のドラム本体１３２と転写ローラ２１との接触点Ｎは、第２用紙ガイド８９の後端部よりも上方に位置し、第２用紙ガイド８９のガイド突起１０３に対して後上方に位置している。
７．画像形成動作
（１）現像動作
このようなプリンタ１は、図示しない制御部の制御により、画像形成動作が開始する。画像形成動作が開始すると、スコロトロン型帯電器２２が、感光ドラム２０の表面を一様に帯電する。
【０２４８】
その後、スキャナユニット１６が、感光ドラム２０の表面に向けてレーザービームＬを、後下方に向けて出射する。レーザービームＬは、ハンドル１１５の把持部１２９の下方を通過した後、ドラム前壁１１１のレーザ通過口１２４を通過し、さらに、現像カートリッジ１９の上方を通過して、感光ドラム２０のドラム本体１３２の前方周面を露光する。これにより、画像データに基づく静電潜像が、ドラム本体１３２の周面に形成される。なお、画像データとしては、例えば、プリンタ１に接続される図示しないパーソナルコンピュータなどからプリンタ１に送信される画像データや、フラットベットスキャナ４０により読み取られた画像データなどが挙げられる。
【０２４９】
また、アジテータ１４２は、トナー収容部１３９内のトナーを撹拌し、連通口１４１を介して、撹拌されたトナーを供給ローラ２７に供給する。供給ローラ２７は、アジテータ１４２から供給されたトナーを現像ローラ２６に供給する。このとき、トナーは、現像ローラ２６と供給ローラ２７との間で正極性に摩擦帯電され、現像ローラ２６上に担持される。層厚規制ブレード２８は、現像ローラ２６上に担持されたトナーを一定厚さに規制する。
【０２５０】
そして、現像ローラ２６は、一定厚みとして担持するトナーを、ドラム本体１３２の周面上の静電潜像に供給する。これにより、トナー像が、ドラム本体１３２の周面上に担持される。
（２）給紙動作
給紙カセット７に収容される複数の用紙Ｐは、第１用紙ガイド８８の上流部分９４および途中部９５にガイドされて、１対の第１搬送ローラ１００に向かって移動する。詳しくは、用紙リフト１０が、その後端部を支点として左側面視反時計回りに揺動して、用紙リフト１０の上面に載置される用紙Ｐの前端部を、ピックアップローラ９との間に挟む。
【０２５１】
そして、ピックアップローラ９は、回転することにより、用紙Ｐを給紙ローラ８に向かって送り出す。給紙パッド１１は、送り出された用紙Ｐの搬送方向の下流端部を、給紙ローラ８と給紙パッド１１との間に向かうようにガイドする。
【０２５２】
次いで、給紙ローラ８は、回転することにより、給紙ローラ８と給紙パッド１１との間に到達した用紙Ｐを１枚ずつ分離する。給紙ローラ８により分離された用紙Ｐは、給紙ローラ８と第１ピンチローラ１２との間を通過した後、第２ピンチローラ１３および湾曲ガイド９７に順次ガイドされ、後上方に向かってＵターンするように搬送される。
【０２５３】
続いて、用紙Ｐは、直線ガイド９８の上面にガイドされて、１対の第１搬送ローラ１００間に到達する。
【０２５４】
一方、本体ケーシング２外から供給される用紙Ｐは、作業者により、第２位置に位置する可動トレイ１７１の裏面１８９に、用紙Ｐを載置される。そうすると、用紙Ｐは、１７７の傾斜に沿って後下方に移動する。これによって、用紙Ｐの後端部は、用紙開口６１を介して、本体ケーシング２内に位置し、搬送ローラ１９２の前下端部と接触する。また、１対の供給規制部１７９は、用紙Ｐの後方部分の左右方向両端部に接触して、用紙Ｐの左右方向への移動を規制している。
【０２５５】
そして、搬送ローラ１９２は、回転することにより、用紙Ｐを給紙ローラ１９３に向かって送り出す。そうすると、用紙Ｐは、給紙ローラ１９３とパッド１９４との間に到達する。
【０２５６】
次いで、給紙ローラ１９３は、回転することにより、給紙ローラ１９３とパッド１９４との間に到達した用紙Ｐを１枚ずつ分離し、１対の第１搬送ローラ１００に向けて送り出す。そうすると、給紙ローラ１９３により分離された用紙Ｐは、１対の第１搬送ローラ１００間に到達する。
【０２５７】
１対の第１搬送ローラ１００は、用紙Ｐを１対の第２搬送ローラ１０１間に向けて搬送するように、１対の傾斜ガイド９９間に送り出す。そして、１対の傾斜ガイド９９は、用紙Ｐの後下方に向かう移動をガイドする。これによって、用紙Ｐは、１対の第２搬送ローラ１０１間に到達する。
【０２５８】
続いて、１対の第２搬送ローラ１０１は、用紙Ｐを、感光ドラム２０と転写ローラ２１との接触点Ｎに向かって搬送するように、内部位置にあるプロセスカートリッジ１５と、第２用紙ガイド８９との間の隙間に送り出す。そうすると、用紙Ｐは、第２用紙ガイド８９の上面に沿って、後方に向かって移動する。
【０２５９】
その後、用紙Ｐの搬送方向の下流端部が、ガイド突起１０３と接触する。これによって、用紙Ｐの搬送方向が後上方に向かうように変更され、用紙Ｐが、プロセスカートリッジ１５の給紙パス１３５に供給される。
【０２６０】
給紙パス１３５に供給された用紙Ｐは、ドラム本体１３２と転写ローラ２１との接触点Ｎに向かって搬送され、接触点Ｎを通過する。このとき、転写ローラ２１は、感光ドラム２０から用紙Ｐにトナー像を転写し、用紙Ｐにトナー像を形成する。
【０２６１】
トナー像が形成された用紙Ｐは、プロセスカートリッジ１５の排紙開口１３６から排出され、第３用紙ガイド９０にガイドされて、定着ユニット１７に向かって移動する。そして、用紙Ｐは、加熱ローラ３０と加圧ローラ３１との間を通過する。このとき、加熱ローラ３０および加圧ローラ３１は、用紙Ｐを加熱するとともに加圧し、トナー像を用紙Ｐに熱定着する。
【０２６２】
トナー像が定着した用紙Ｐは、１対のガイドローラ３３間を通過した後、第４用紙ガイド９１の凹部１０６にガイドされて、前下方に向かってＵターンするように搬送され、１対の排紙ローラ３４間に到達する。
【０２６３】
そして、１対の排紙ローラ３４は、回転することにより、用紙Ｐを、排紙口６８を介して排紙トレイ３５上に排出する。排紙トレイ３５には、トナー像が形成され、本体ケーシング２から排出された用紙Ｐが載置される。
【０２６４】
このように、給紙カセット７に収容される用紙Ｐは、用紙ガイド部６により画定される側面視略Ｓ字状の搬送パスＴを搬送される。
８．作用効果
（１）このプリンタ１によれば、図３に示すように、可動トレイ１７１を使用するときには、第２位置に位置させれば、可動トレイ１７１が用紙Ｐを受け入れて、前壁５２の用紙開口６１を介して用紙Ｐを本体ケーシング２内へ供給することができる。
【０２６５】
また、可動トレイ１７１は、図１に示すように、第１位置において、本体ケーシング２の前壁５２と、排紙壁１５５の排紙壁本体１５７を被覆するとともに、その後上端部が、カバー本体７９の受入部１６２に受け入れられる。つまり、可動トレイ１７１を使用しない場合には、可動トレイ１７１を第１位置に位置させて収容することができる。
【０２６６】
そのため、可動トレイ１７１が上下方向に向かって延びていないので、プリンタ１の鉛直方向の小型化を図ることができる。
（２）また、このプリンタ１によれば、図３に示すように、第２位置に位置する可動トレイ１７１に対して、用紙Ｐを載置することで、前壁５２の用紙開口６１を介して用紙Ｐを本体ケーシング２内へ、確実に供給することができる。
（３）また、このプリンタ１によれば、図１に示すように、可動トレイ１７１が第１部分１７５と第２部分１７７との２部材に分かれていることにより、可動トレイ１７１を容易に折り返すことができる。
【０２６７】
そのため、可動トレイ１７１を第１位置に位置させるときに、第２部分１７７を排紙部５に向かって折り返すことで、プリンタ１の上下方向の小型化を図ることができる。
（４）また、このプリンタ１によれば、図１に示すように、可動トレイ１７１が第１位置に位置するときに、トップカバー７７の受入部１６２が、第２部分１７７の後上端部を受け入れることによって、第２部分１７７を排紙部５の一部として構成することができる。
【０２６８】
そのため、可動トレイ１７１を第１位置に位置させて、第２部分１７７を排紙部５に向かって折り返していても、第２部分１７７が排紙部５への用紙Ｐの載置を邪魔することなく、本体ケーシング２から用紙Ｐを排出することができる。
（５）また、このプリンタ１によれば、図３に示すように、可動トレイ１７１の第１部分１７５と第２部分１７７とは、第２位置に位置するときに、左右方向から見たときに、略直線状に延びていている。
【０２６９】
そのため、用紙Ｐを、第２位置に位置する可動トレイ１７１に対して、姿勢が安定するように載置することができる。
【０２７０】
その結果、用紙開口６１を介して確実に、用紙Ｐを本体ケーシング２内へ供給することができる。
（６）また、このプリンタ１によれば、図８に示すように、第２位置に位置する可動トレイ１７１に対して用紙Ｐを載置したときに、供給規制部１７９によって、用紙Ｐが左右方向に移動し、用紙Ｐ上に形成される画像が左右方向にずれることを抑制することができる。
【０２７１】
そのため、用紙開口６１を介して、より確実に、用紙Ｐを本体ケーシング２内へ供給することができる。
（７）また、このプリンタ１によれば、図１に示すように、可動トレイ１７１が第１位置に位置していても、基部開口１８４および延部開口１８５を通過するように配置される用紙規制部１５９によって、排出される用紙Ｐの落下を規制することができる。
【０２７２】
そのため、可動トレイ１７１が第１位置または第２位置のどちらに位置していても、用紙規制部１５９によって、排紙部５に排出される用紙Ｐの落下を規制することができる。
（８）また、このプリンタ１によれば、図１に示すように、可動トレイ１７１を第１位置に位置させるときには、左右方向から見たときに、第１部分１７５よりも長い第２部分１７７を、排紙部５に向かって折り返すことができる。
【０２７３】
そのため、左右方向から見たときに、可動トレイ１７１において相対的に長い第２部分１７７を、排紙壁１５５の排紙壁本体１５７に沿うように、つまり、前下方と後上方とを結ぶ方向に沿って折り返すので、可動トレイ１７１が第１位置に位置している場合であっても、プリンタ１の鉛直方向の小型化を図ることができる。
（９）また、このプリンタ１によれば、図１に示すように、可動トレイ１７１が第１位置に位置しているときには、表面１８８によって、排出された用紙Ｐを受け入れることができ、図３に示すように、可動トレイ１７１が第２位置に位置しているときには、裏面１８９によって、外部から用紙開口６１を介して本体ケーシング２内へ搬送される用紙Ｐを受け入れる。
【０２７４】
そのため、可動トレイ１７１の両面を利用することができる。
（１０）また、このプリンタ１によれば、図２に示すように、本体ケーシング２よりも上方にフラットベットスキャナ４０を備えていても、可動トレイ１７１では、第２部分１７７は、延部１８３を退避位置に位置させた状態で、第２可動軸１７６を支点として回動するので、回動半径を小さくすることができる。
【０２７５】
そのため、可動トレイ１７１は、フラットベットスキャナ４０を僅かに揺動させるだけで、フラットベットスキャナ４０と干渉することなく、第１位置と第２位置との間を移動することができる。
【０２７６】
そのため、フラットベットスキャナ４０を備えていても、プリンタ１が上下方向に大型化することを抑制することができる。
【０２７７】
なお、本実施形態において、プリンタ１が画像形成装置の一例であり、本体ケーシング２が筐体の一例であり、給紙カセット７がカセットの一例であり、排紙トレイ３５が排出部の一例であり、フラットベットスキャナ４０が画像読取部の一例である。また、前壁５２が一方側壁の一例であり、用紙開口６１が第１開口の一例であり、用紙規制部１５９が第２規制部の一例であり、受入部１６２が受入部の一例である。また、可動トレイ１７１がトレイの一例であり、第１部分１７５が第１部分の一例であり、第２部分１７７が第２部分の一例である。また、供給規制部１７９が第１規制部の一例であり、基部開口１８４および延部開口１８５が第２開口の一例であり、表面１８８が第１面の一例であり、裏面１８９が第２面の一例である。
【符号の説明】
【０２７８】
１      プリンタ
２      本体ケーシング
７      給紙カセット
３５    排紙トレイ
４０    フラットベットスキャナ
５２    前壁
６１    用紙開口部
１５９  用紙規制部
１６２  受入部
１７１  可動トレイ
１７５  第１部分
１７７  第２部分
１７９  供給規制部
１８４  基部開口
１８５  延部開口
１８８  表面
１８９  裏面
【図１】
2015036764.tif 000003
【図２】
2015036764.tif 000004
【図３】
2015036764.tif 000005
【図４】
2015036764.tif 000006
【図５】
2015036764.tif 000007
【図６】
2015036764.tif 000008
【図７】
2015036764.tif 000009
【図８】
2015036764.tif 000010